(57)【特許請求の範囲】
【請求項１】
支持部から吊下支持される遮蔽材を開放位置及び閉鎖位置に移動させるモーターと、
前記モーターに供給する電力を生成する太陽電池パネルと
を備えた電動日射遮蔽装置において、
前記太陽電池パネルを前記遮蔽材に対し別体に設けるとともに、前記支持部に対し前記遮蔽材の移動方向に移動可能に吊下支持し、前記支持部には前記遮蔽材を開放位置に移動させたとき、前記太陽電池パネルを室内へ露出させない位置に移動させる位置調節装置を設けたことを特徴とする電動日射遮蔽装置の太陽電池パネル取付装置。
【請求項２】
支持部から吊下支持される遮蔽材を開放位置及び閉鎖位置に移動させるモーターと、
前記モーターに供給する電力を生成する太陽電池パネルと
を備えた電動日射遮蔽装置において、
前記太陽電池パネルを前記遮蔽材に対し別体に設けるとともに、前記支持部に対し前記遮蔽材の移動方向に移動可能に吊下支持し、前記支持部には前記遮蔽材を開放位置に移動させたとき、前記太陽電池パネルを前記遮蔽材の畳み込み位置に移動させ、前記遮蔽材を閉鎖位置に移動させたとき、前記太陽電池パネルを太陽光受光位置に移動させる位置調節装置を設けたことを特徴とする電動日射遮蔽装置の太陽電池パネル取付装置。
【請求項３】
前記位置調節装置は、前記遮蔽材の閉鎖位置への移動にともなって前記太陽電池パネルを太陽光受光位置に案内し、前記遮蔽材の前記開放位置への移動にともなって前記太陽電池パネルを前記遮蔽材の後方に案内する案内手段を備えたことを特徴とする請求項２記載の電動日射遮蔽装置の太陽電池パネル取付装置。
【請求項４】
前記遮蔽材を前記支持部から昇降可能に吊下支持し、
前記位置調節装置は、
前記支持部から前記遮蔽材の後方に前記太陽電池パネルを吊下支持する吊下コードと、
前記支持部に回転可能に支持され、前記吊下コードを巻き取り可能とした第一の巻取りパイプと
を備え、
前記案内手段は、
前記遮蔽材の下端部に設けられ、前記太陽電池パネルを押し上げ可能とする押し上げ部材と、
前記第一の巻取りパイプに設けられ、前記太陽電池パネルが前記押し上げ部材で押し上げられたとき該第一の巻取りパイプを前記吊下コードの巻取り方向に回転させる付勢手段と
を備えたことを特徴とする請求項３記載の電動日射遮蔽装置の太陽電池パネル取付装置。
【請求項５】
前記付勢手段は、前記太陽電池パネルが前記押し上げ部材で押し上げられないとき、前記太陽電池パネルの重量に基づいて、前記第一の巻取りパイプを前記吊下コードの巻き戻し方向に回転可能とする付勢力を備えたことを特徴とする請求項４記載の電動日射遮蔽装置の太陽電池パネル取付装置。
【請求項６】
前記遮蔽材を前記支持部から昇降可能に吊下支持し、
前記位置調節装置は、
前記支持部から前記遮蔽材の後方に前記太陽電池パネルを吊下支持する吊下コードと、
前記支持部に回転可能に支持され、前記吊下コードを巻き取り可能とした第一の巻取りパイプと
を備え、
前記案内手段は、
前記支持部に回転可能に支持され、前記遮蔽材を巻取り可能とした第二の巻取りパイプと、
前記第二の巻取りパイプと前記第一の巻取りパイプとを連動して同方向に回転させて、前記遮蔽材の昇降にともなって前記太陽電池パネルを昇降する連動回転装置と
を備えたことを特徴とする請求項３記載の電動日射遮蔽装置の太陽電池パネル取付装置。
【請求項７】
前記遮蔽材を前記支持部にランナーを介して左右方向に移動可能に支持し、
前記位置調節装置は、
前記ランナーの移動にともなって移動するパネル用ランナーと、
前記パネル用ランナーから前記遮蔽材の後方に吊下支持される前記太陽電池パネルと
を備えたことを特徴とする請求項２記載の電動日射遮蔽装置の太陽電池パネル取付装置。
【請求項８】
前記遮蔽材を前記支持部から昇降可能に吊下支持し、前記支持部から吊下支持された吊下コードの一端に前記太陽電池パネルを吊下支持し、前記吊下コードの他端部を前記支持部に設けた滑車から垂下して、前記太陽電池パネルを昇降操作可能としたことを特徴とする請求項１又は２記載の電動日射遮蔽装置の太陽電池パネル取付装置。
【請求項９】
前記吊下コードを支持する滑車を、前記支持部に対し前記遮蔽材の横幅方向に移動可能に支持したことを特徴とする請求項８記載の電動日射遮蔽装置の太陽電池パネル取付装置。
【発明の詳細な説明】
【技術分野】
【０００１】
この発明は、太陽電池で充電する充電池を電源として動作する電動日射遮蔽装置に関するものである。
【背景技術】
【０００２】
従来、バッテリーを電源として動作し、かつリモコン装置でスラットの角度調節動作を制御する電動ブラインドは、リモコン受信部と、スラット角度調節用のモーターと、受光信号に基づいてモーターを制御するマイコン等の電源として乾電池等のバッテリーとを備えたものがある。
【０００３】
このような電動ブラインドは、商用電源の配線が困難な場所に設置されることが多いことから、バッテリーが消耗した場合の交換作業も煩雑となることが多い。
そこで、バッテリーの交換を不要とするために、太陽電池を使用して充電可能とした充電池を電源とする電動ブラインドが提案されている（特許文献１，２参照）。
【先行技術文献】
【特許文献】
【０００４】
【特許文献１】実公平４−３１９９５号
【特許文献２】特許第３２５６１２９号
【発明の概要】
【発明が解決しようとする課題】
【０００５】
特許文献１では、太陽電池が窓ガラスの上縁部に設置されているため、その設置位置が太陽光を効率よく受光するための最適な位置とはならない場合がある。
また、電動ブラインドの設置後に、太陽電池の設置位置を変更するには、電動ブラインドの設置をやり直す等の煩雑な作業を要する。
【０００６】
特許文献２では、ヘッドボックス昇降型ブラインドのヘッドボックスに太陽電池を取着したので、太陽電池の設置位置はヘッドボックスの昇降位置となり、その設置位置が太陽光を効率よく受光するための最適な位置とはならない場合がある。特に、ヘッドボックスを上限まで引き上げた状態では、太陽電池が窓の上枠近傍に位置するため、太陽光を効率よく受光できないことがある。
【０００７】
この発明の目的は、遮蔽材の移動位置に応じて太陽電池パネルの設置位置を変更して、安定した発電性能を確保し得るとともに、美観を向上させ得る電動日射遮蔽装置の太陽電池パネル取付装置を提供することにある。
【課題を解決するための手段】
【０００８】
請求項１では、支持部から吊下支持される遮蔽材を開放位置及び閉鎖位置に移動させるモーターと、前記モーターに供給する電力を生成する太陽電池パネルとを備えた電動日射遮蔽装置において、前記太陽電池パネルを前記遮蔽材に対し別体に設けるとともに、前記支持部に対し前記遮蔽材の移動方向に移動可能に吊下支持し、前記支持部には前記遮蔽材を開放位置に移動させたとき、前記太陽電池パネルを室内へ露出させない位置に移動させる位置調節装置を設けた。
【０００９】
請求項２では、支持部から吊下支持される遮蔽材を開放位置及び閉鎖位置に移動させるモーターと、前記モーターに供給する電力を生成する太陽電池パネルとを備えた電動日射遮蔽装置において、前記太陽電池パネルを前記遮蔽材に対し別体に設けるとともに、前記支持部に対し前記遮蔽材の移動方向に移動可能に吊下支持し、前記支持部には前記遮蔽材を開放位置に移動させたとき、前記太陽電池パネルを前記遮蔽材の畳み込み位置に移動させ、前記遮蔽材を閉鎖位置に移動させたとき、前記太陽電池パネルを太陽光受光位置に移動させる位置調節装置を設けた。
【００１０】
請求項３では、前記位置調節装置は、前記遮蔽材の閉鎖位置への移動にともなって前記太陽電池パネルを太陽光受光位置に案内し、前記遮蔽材の前記開放位置への移動にともなって前記太陽電池パネルを前記遮蔽材の後方に案内する案内手段を備えた。
【００１１】
請求項４では、前記遮蔽材を前記支持部から昇降可能に吊下支持し、前記位置調節装置は、前記支持部から前記遮蔽材の後方に前記太陽電池パネルを吊下支持する吊下コードと、前記支持部に回転可能に支持され、前記吊下コードを巻き取り可能とした第一の巻取りパイプとを備え、前記案内手段は、前記遮蔽材の下端部に設けられ、前記太陽電池パネルを押し上げ可能とする押し上げ部材と、前記第一の巻取りパイプに設けられ、前記太陽電池パネルが前記押し上げ部材で押し上げられたとき該第一の巻き取りパイプを前記吊下コードの巻取り方向に回転させる付勢手段を備えた。
【００１２】
請求項５では、前記付勢手段は、前記太陽電池パネルが前記押し上げ部材で押し上げられないとき、前記太陽電池パネルの重量に基づいて、前記第一の巻取りパイプを前記吊下コードの巻き戻し方向に回転可能とする付勢力を備えた。
【００１３】
請求項６では、前記遮蔽材を前記支持部から昇降可能に吊下支持し、前記位置調節装置は、前記支持部から前記遮蔽材の後方に前記太陽電池パネルを吊下支持する吊下コードと、前記支持部に回転可能に支持され、前記吊下コードを巻き取り可能とした第一の巻取りパイプとを備え、前記案内手段は、前記支持部に回転可能に支持され、前記遮蔽材を巻取り可能とした第二の巻取りパイプと、前記第二の巻取りパイプと前記第一の巻取りパイプとを連動して同方向に回転させて、前記遮蔽材の昇降にともなって前記太陽電池パネルを昇降する連動回転装置とを備えた。
【００１４】
請求項７では、前記遮蔽材を前記支持部にランナーを介して左右方向に移動可能に支持し、前記位置調節装置は、前記ランナーの移動にともなって移動するパネル用ランナーと、前記パネル用ランナーから前記遮蔽材の後方に吊下支持される前記太陽電池パネルと
を備えた。
【００１５】
請求項８では、前記遮蔽材を前記支持部から昇降可能に吊下支持し、前記支持部から吊下支持された吊下コードの一端に前記太陽電池パネルを吊下支持し、前記吊下コードの他端部を前記支持部に設けた滑車から垂下して、前記太陽電池パネルを昇降操作可能とした。
【００１６】
請求項９では、前記吊下コードを支持する滑車を、前記支持部に対し前記遮蔽材の横幅方向に移動可能に支持した。
【発明の効果】
【００１７】
本発明によれば、遮蔽材の移動位置に応じて太陽電池パネルの設置位置を変更して、安定した発電性能を確保し得るとともに、美観を向上させ得る電動ブラインドの太陽電池パネル取付装置を提供することができる。
【図面の簡単な説明】
【００１８】
【図１】第一の実施形態の太陽電池パネル取付装置を示す正面図である。
【図２】第一の実施形態の太陽電池パネル取付装置を示す側面図である。
【図３】第一の実施形態の太陽電池パネル取付装置の動作を示す側面図である。
【図４】第一の実施形態の押し上げ部材を示す正面図である。
【図５】第一の実施形態の太陽電池パネル取付装置の動作を示す側面図である。
【図６】第二の実施形態の太陽電池パネル取付装置を示す正面図である。
【図７】第二の実施形態の太陽電池パネル取付装置を示す側面図である。
【図８】第二の実施形態の太陽電池パネル取付装置の動作を示す側面図である。
【図９】第三の実施形態の太陽電池パネル取付装置を示す側面図である。
【図１０】第三の実施形態の太陽電池パネル取付装置を示す側面図である。
【図１１】第四の実施形態の太陽電池パネル取付装置を示す側面図である。
【図１２】第四の実施形態の太陽電池パネル取付装置を示す正面図である。
【図１３】第五の実施形態の太陽電池パネル取付装置を示す正面図である。
【図１４】第六の実施形態の太陽電池パネル取付装置を示す正面図である。
【図１５】第六の実施形態の太陽電池パネル取付装置を示す正面図である。
【図１６】第六の実施形態の太陽電池パネル取付装置を示す正面図である。
【発明を実施するための形態】
【００１９】
（第一の実施形態）
以下、この発明をロールブラインドの太陽電池パネル取付装置に具体化した第一の実施形態を示す。図１に示すように、フレーム１１の両端に取着された支持ブラケット１間に巻取りパイプ２が回転可能に支持され、その巻取りパイプ２からスクリーン３が吊下支持されている。前記スクリーン３の下端にはウェイトバー４が取着されている。
【００２０】
前記巻取りパイプ２内には、その一端が前記支持ブラケット１に支持されたモーター５が配設され、そのモーター５は図示しない操作スイッチの操作により前記巻取りパイプ２を正逆方向に回転駆動するようになっている。そして、モーター５の回転に基づいて前記スクリーン３が前記巻取りパイプ２に巻き取られ、あるいは巻き戻される。従って、モーター５の作動によりスクリーン３が昇降される。
【００２１】
図２に示すように、このロールブラインドの側面視において前記巻取りパイプ２の斜め上方には、吊下コード７を巻取り可能とした巻取りパイプ８が前記支持ブラケット１間に回転可能に支持されている。そして、前記スクリーン３の背面側、すなわちスクリーン３と窓面との間において、前記吊下コード７の下端に太陽電池パネル６が吊下支持されている。
【００２２】
前記巻取りパイプ８内にはスプリングモーター９が配設され、そのスプリングモーター９は巻取りパイプ８に吊下コード７の巻取り方向の回転力を付与している。太陽電池パネル６の重量は、スプリングモーター９の付勢力に打ち勝って太陽電池パネル６を下限まで下降させる重量が確保されている。そして、前記吊下コード７の長さは、例えば太陽電池パネル６がスクリーン３の昇降範囲の上下方向中間位置まで下降可能となるように設定されている。
【００２３】
前記太陽電池パネル６には前記フレーム１１から吊下支持されるとともに螺旋状に伸縮する接続コード１０の下端部が接続され、その接続コード１０はこのロールブラインドの近傍に設置される制御部及び充電池（図示しない）に接続されている。
【００２４】
そして、太陽光の受光により太陽電池パネル６で発生する電力が制御部を介して充電池に供給されて充電されるとともに、前記モーター５に供給される。
前記ウェイトバー４の背面には前記太陽電池パネル６を下方から押し上げ可能とする押し上げ部材１２が取着されている。この押し上げ部材１２の両側部には、図４に示すように、太陽電池パネル６の両側部を支持する支持片１３が形成され、太陽電池パネル６の受光面を覆わない状態で押し上げ可能となっている。
【００２５】
上記のような太陽電池パネル取付装置では、図２に示すように、スクリーン３を下限近傍まで下降させた状態では、太陽電池パネル６は下限位置すなわちスクリーン３の上下方向中間位置まで下降した状態となる。
【００２６】
この状態からスクリーン３を引き上げて、図３に示すように、押し上げ部材１２が太陽電池パネル６に当接すると、太陽電池パネル６の重量に基づいて巻取りパイプ８に作用する吊下コード７の巻戻し方向の回転トルクが小さくなって、スプリングモーター９による回転トルクが相対的に大きくなる。
【００２７】
すると、太陽電池パネル６がウェイトバー４に押し上げられるとともに、吊下コード７が巻取りパイプ８に巻き取られ、太陽電池パネル６がウェイトバー４とともに図５に示す上限位置まで上昇する。
【００２８】
また、スクリーン３が巻取りパイプ８から巻戻されてウェイトバー４が下降すると、太陽電池パネル６の重量による回転トルクがスプリングモーター９の回転トルクより大きくなり、図３に示す位置までウェイトバー４とともに下降し、その後はウェイトバー４のみが下降する。
【００２９】
上記のように構成された太陽電池パネル取付装置では、次に示す作用効果を得ることができる。
（１）スクリーン３を下限近傍まで下降させた状態では、太陽電池パネル６をスクリーン３の昇降範囲の中間位置、すなわち窓面の上下方向中間位置に吊下支持することができる。従って、太陽光を受光し易い位置に太陽電池パネル６を吊下支持することができる。
（２）太陽電池パネル６を巻取りパイプ８から吊下コード７を介して昇降可能に吊下支持することができる。
（３）太陽電池パネル６を常にスクリーン３の後方に位置させて、太陽電池パネル６の室内への露出を防止して、美観の低下を防止することができる。
（４）スクリーン３を引き上げるとき、ウェイトバー４とともに太陽電池パネル６を自動的に引き上げることができる。また、スクリーン３を下降させるとき、ウェイトバー４とともに太陽電池パネル６をスクリーン３の昇降範囲の中間位置まで自動的に下降させることができる。従って、太陽電池パネル６を独立して昇降操作することなく、太陽電池パネル６の室内への露出を防止して、美観の低下を防止することができる。
（５）吊下コード７の長さを調節することにより、太陽電池パネル６の吊下げ位置を上下方向に位置調節することができる。従って、スクリーン３を下降させたときに、太陽電池パネル６が吊下支持される高さを調節することができる。
（第二の実施形態）
図６〜図８は、第二の実施形態を示す。この実施形態は、第一の実施形態の太陽電池パネル６をスクリーン３の昇降動作に連動させて昇降するようにしたものである。
【００３０】
図７に示すように、巻取りパイプ２の回転は伝達ギヤ１４を介して巻取りパイプ８に伝達される。巻取りパイプ８から吊下コード７を介して太陽電池パネル６が吊下支持され、吊下コード７の長さは、ウェイトバー４が下限まで下降されたとき、太陽電池パネル６がウェイトバー４の後方に位置するように設定されている。
【００３１】
そして、巻取りパイプ２が回転されてスクリーン３が引き上げらるとき、吊下コード７が巻取りパイプ８に巻き取られて、太陽電池パネル６が引き上げられるようになっている。
【００３２】
また、巻取りパイプ２，８は同一径で形成され、スクリーン３の昇降量と太陽電池パネル６の昇降量が等しくなるように設定されている。
太陽電池パネル６は、ウェイトバー４の全長より僅かに短い長さで形成され、巻取りパイプ８から複数本の吊下コード７で吊下支持されている。
【００３３】
上記のような太陽電池パネル取付装置では、スクリーン３を下限まで下降させると、太陽電池パネル６がウェイトバー４の後方位置まで下降している。そして、スクリーン３を引き上げると、太陽電池パネル６も引き上げられて、ウェイトバー４とともに図８に示す上限位置まで引き上げられる。
【００３４】
また、スクリーン３を下降させると、ウェイトバー４とともに太陽電池パネル６も図７に示す下限位置まで下降する。
上記のように構成された太陽電池パネル取付装置では、次に示す作用効果を得ることができる。
（１）太陽電池パネル６を巻取りパイプ８から吊下コード７を介して昇降可能に吊下支持することができる。
（２）太陽電池パネル６を常にスクリーン３の後方に位置させて、太陽電池パネル６の室内への露出を防止して、美観の低下を防止することができる。
（３）スクリーン３を昇降するとき、太陽電池パネル６を自動的に昇降することができる。従って、太陽電池パネル６を独立して昇降操作することなく、太陽電池パネル６の室内への露出を防止して、美観の低下を防止することができる。
（４）スクリーン３を下限まで下降させたとき、太陽電池パネル６をウェイトバー４の後方に位置させることができる。従って、太陽光の反射光が斜め下方から入射するとき、その反射光を効率よく受光することができる。
（第三の実施形態）
図９及び図１０は、第三の実施形態を示す。この実施形態は、横型ブラインドのヘッドボックス２１から太陽電池パネル６を昇降可能に吊下支持したものである。
【００３５】
横型ブラインドの背面側には、ヘッドボックス２１から吊下コード２２を介して太陽電池パネル６が吊下支持され、その吊下コード２２はヘッドボックス２１内に設けられた滑車２３及びストッパー装置２４を経て、スラット２６の前方に垂下されている。ストッパー装置２４は、太陽電池パネル６の自重降下を防止する機能を備えている。
【００３６】
また、前記太陽電池パネル６は螺旋状に伸縮する接続コード２５を介して制御部あるいは充電池に接続される。
このような構成により、吊下コード２２を操作して太陽電池パネル６の吊下げ位置を上下方向に位置調節可能であるとともに、ヘッドボックス２１の下面近傍まで引き上げることができる。従って、太陽光を受光し易い位置に太陽電池パネル６を設置することができる。
【００３７】
また、図１０に示すように、横型ブラインドのスラット２６を引き上げたとき、太陽電池パネル６もヘッドボックス２１の下面近傍までの範囲で引き上げて、引き上げられたスラット２６の背面側に位置させれば、窓面での太陽電池パネル６の露出を防止して、美観を向上させることができる。
（第四の実施形態）
図１１及び図１２は、第四の実施形態を示す。この実施形態は、滑車２３及びストッパー装置２４をヘッドボックス３１の背面側に配設したステー３２に取着し、太陽電池パネル６を昇降操作する吊下コード２２を横型ブラインドの背面側に垂下したものである。
【００３８】
このような構成により、第三の実施形態と同様に、吊下コード２２を操作して太陽電池パネル６の吊下げ位置を上下方向に位置調節可能であるとともに、ヘッドボックス２１の下面近傍まで引き上げることができる。従って、太陽光を受光し易い位置に太陽電池パネル６を設置することができる。
【００３９】
また、図１１に示すように、横型ブラインドのスラット２６を引き上げたとき、太陽電池パネル６もヘッドボックス２１の下面近傍までの範囲で引き上げて、引き上げられたスラット２６の背面側に位置させれば、窓面での太陽電池パネル６の露出を防止して、美観を向上させることができる。
【００４０】
また、吊下コード２２がスラット２６の背面側に垂下されるので、スラット２６を下降させた状態では吊下コード２２の室内側への露出を抑制して美観を向上させることができる。
【００４１】
前記ステー３２の基端部には、ヘッドボックス３１の側辺内面に係合する係止片３３と、側辺外面に当接する挟持片３４とが形成され、その係止片３３と挟持片３４とでヘッドボックス３１の側辺を挟持するようになっている。
【００４２】
このような構成により、ステー３２はヘッドボックス３１の長手方向にスライド可能に支持される。従って、この実施形態は、第三の実施形態で得られた作用効果に加えて、太陽電池パネル６をヘッドボックス３１の長手方向に位置調節することができるという作用効果を得ることができる。
（第五の実施形態）
図１３は、第五の実施形態を示す。この実施形態は、太陽電池パネルで発電した電力でモーターを駆動してカーテン生地を移送するようにした電動カーテンを示す。
【００４３】
図１３に示す電動カーテンは、カーテンレール（図示しない）に移動可能に支持された多数のランナー４１にカーテン生地４２が吊下支持されている。前記カーテンレール内には無端状の移送コード４３が配設され、その移送コード４３の一方はモーター４４で回転駆動されるプーリー４５に掛装されている。
【００４４】
前記ランナー４１のうち、先頭ランナー４１ａだけが前記移送コード４３に取着されている。前記モーター４４は、リモコン装置４６から出力される操作信号に基づいて、充電池４７を電源として動作する。
【００４５】
そして、モーター４４の作動により移送コード４３がカーテンレール内を移動すると、先頭ランナー４１ａが移送コード４３とともにハンガーレール内を移動するようになっている。従って、先頭ランナー４１ａが矢印Ａ方向に移動すると、カーテン生地４２がハンガーレールに沿って引き出され、先頭ランナー４１ａが矢印Ｂ方向に移動すると、カーテン生地４２がハンガーレールの一端側に畳み込まれる。
【００４６】
前記先頭ランナー４１ａと後続ランナー４１ｂとの間において、ハンガーレールには太陽電池パネル４８を支持するパネル用ランナー４９が移動可能に支持されている。そして、カーテン生地４２が引き出されるとき、パネル用ランナー４９は後続ランナー４１ｂに押されてカーテン生地４２と同方向に引き出される。また、カーテン生地４２が畳み込まれるとき、パネル用ランナー４９は先頭ランナー４１ａに押されてカーテン生地４２とともにハンガーレールの一端側に移動する。
【００４７】
前記太陽電池パネル４８は、接続コード５０を介して前記充電池４７に接続され、太陽電池パネル４８の発電電力で充電池４７を充電可能である。また、前記接続コード５０はカーテン生地４２を最大限引き出した場合にも太陽電池パネル４８の移動を妨げない長さが確保され、中間部は所定間隔毎に保持部材５１を介してカーテン生地４２に保持されている。
【００４８】
このように構成された電動カーテンでは、室内への直射光を遮るために、モーター４４を作動させてハンガーレールに沿ってカーテン生地４２を引き出すと、太陽電池パネル４８もカーテン生地４２とともに自動的に引き出される。従って、太陽電池パネル４８を受光効率のよい位置に自動的に移動させることができる。
【００４９】
また、カーテン生地４２を畳み込むと、カーテン生地４２とともに太陽電池パネル４８もハンガーレールの一方に移動する。従って、カーテン生地４２を畳み込んだとき、太陽電池パネル４８がハンガーレールの中間部に露出されることはない。
（第六の実施形態）
図１４〜図１６は、第六の実施形態を示す。この実施形態は、太陽電池パネルで発電した電力でモーターを駆動してスラットを移送するようにした縦型ブラインドを示す。
【００５０】
図１４に示す電動縦型ブラインドは、ハンガーレール５２に多数のランナー５３が移動可能に支持され、各ランナー５３からスラット５４がそれぞれ吊下支持されている。
前記ハンガーレール５２の一端にはモーター５５が配設され、そのモーター５５の作動によりハンガーレール５２内の移送装置により先頭ランナー５３ａがハンガーレール５２に沿って移動される。
【００５１】
そして、先頭ランナー５３ａがハンガーレール５２の一端側から他端側に向かって移送されると、後続ランナー５３が等間隔を隔てて同方向に順次引き出されて、スラット５４が引き出される。また、先頭ランナー５３ａがハンガーレールの一端側から他端側に向かって移送されると、後続ランナー５３が先頭ランナー５３ａで同方向に押し戻され、スラット５４が同方向に畳み込まれる。
【００５２】
前記多数のランナー５３のうち中間部に位置するランナー５３の間にはパネル用ランナー５６が配設され、そのパネル用ランナー５６に太陽電池パネル５７が吊下支持されている。また、太陽電池パネル５７はスラット５４と干渉しないように、室外側にオフセットして吊下支持されている。
【００５３】
前記太陽電池パネル５７は、接続コード５８を介して充電池５９に接続され、前記モーター５５は充電池５９を電源として動作する。
このように構成された電動縦型ブラインドでは、モーター５５の作動により先頭ランナー５３ａがハンガーレール５２の一端から他端に向かって矢印Ｃ方向に移送されると、後続のランナー５３が等間隔を隔てて順次移動して、スラット５４が同方向に引き出される。
【００５４】
すると、パネル用ランナー５６も同方向へ移動し、図１４に示すように、先頭ランナー５３ａが最大限引き出されると、パネル用ランナー５６及び太陽電池パネル５７は窓６０の幅方向中央部まで移動する。
【００５５】
また、図１４に示す状態から先頭ランナー５３ａが矢印Ｄ方向に移送されると、図１５に示すように、後続のランナー５３及びパネル用ランナー５６が先頭ランナー５３ａにより順次押し戻され、図１６に示すように、スラット５４がハンガーレール５２の一端側に畳み込まれるとともに、太陽電池パネル５７もハンガーレール５２の一端側に移送される。
【００５６】
このように構成された電動縦型ブラインドでは、室内への直射光を遮るために、モーター４４を作動させてハンガーレール５２に沿ってスラット５４を引き出すと、太陽電池パネル５７もスラット５４とともに自動的に引き出される。従って、太陽電池パネル５７を受光効率のよい位置に自動的に移動させることができる。
【００５７】
また、スラット５４を畳み込むと、スラット５４とともに太陽電池パネル５７も移動する。従って、スラット５４を畳み込んだとき、太陽電池パネル５７がハンガーレール５２の中間部に露出されることはない。
【００５８】
上記実施形態は、以下の態様で実施してもよい。
・第二の実施形態において、ウェイトバー４より短い太陽電池パネル６を複数本吊下支持してもよい。
・第二の実施形態において、巻取りパイプ８の回転速度を巻取りパイプ２の半分として、
ウェイトバー４が下限まで下降されたとき太陽電池パネル６がスクリーン３の上下方向中間位置まで下降するようにしてもよい。
・第五の実施形態において、カーテン生地４２を最大限引き出したとき、太陽電池パネル４８が太陽光を最も受光し易い位置、すなわちハンガーレールの中間位置に引き出されるようにしてもよい。
【符号の説明】
【００５９】
１１，２１，３１，５２…支持部（フレーム、ヘッドボックス、ハンガーレール）、２…第二の巻取りパイプ、３，２６，４２，５４…遮蔽材（スクリーン、スラット、カーテン生地）、５…モーター、６…太陽電池パネル、７，２２…調節装置（吊下コード）、８…位置調節装置（第一の巻取りパイプ）、９…付勢手段（スプリングモーター）、１２…案内手段（押し上げ部材）、１４…連動回転装置（伝達ギヤ）、２３…滑車、４１ａ，４１ｂ，５３…位置調節装置（案内手段、ランナー）。
【図１】
0005465096.tif 000002
【図２】
0005465096.tif 000003
【図３】
0005465096.tif 000004
【図４】
0005465096.tif 000005
【図５】
0005465096.tif 000006
【図６】
0005465096.tif 000007
【図７】
0005465096.tif 000008
【図８】
0005465096.tif 000009
【図９】
0005465096.tif 000010
【図１０】
0005465096.tif 000011
【図１１】
0005465096.tif 000012
【図１２】
0005465096.tif 000013
【図１３】
0005465096.tif 000014
【図１４】
0005465096.tif 000015
【図１５】
0005465096.tif 000016
【図１６】
0005465096.tif 000017